(57)【要約】      （修正有）【課題】大型凹凸をキャップ外周に施して、素手での開栓容易性を実現すると共に、開栓困難状態に冷蔵している自動販売機に、上記大型凹凸キャップ専用のオープナーを組み込んで、冷却ボトルの初開栓時の開栓性を改善を図る自動販売機を提供する。【解決手段】ボトル型飲料容器に螺合される１２組の凹凸で構成される外周形状が歯車型をなすボトル用キャップに嵌合する、工具規格にある１２角ソケットレンチのソケットと同型の穴８を穿設したオープナー組み込みを飲料自動販売機を構成する。【選択図】図６
0003164436.tif 000002
【実用新案登録請求の範囲】
【請求項１】
外周が歯車型をなすボトルキャップに適当な隙をもって嵌合する規格１２角ソケットレンチ穴型のオープナーを備えた飲料自動販売機。
【請求項２】
呼称２８ミリサイズのボトルキャップに適用したＪＩＳの工具規格、１２角ソケットレンチのＢ４６３６−１の呼び寸法３０ミリ規格のオープナーを備えた飲料自動販売機。
【請求項３】
上記規格１２角ソケットレンチ穴型オープナーに、従来のローレット式ギザ付キャップ用オープナーを２段式に併設した開栓装置を備えた飲料自動販売機。
【考案の詳細な説明】
【考案の詳細な説明】
【技術分野】
【０００１】  本考案はボトル用の歯車型キャップ専用の、規格１２角ソケットレンチ穴型オープナーを備えた飲料自動販売機に関するものである。
【背景技術】
【０００２】  従来のボトルキャップ外周はローレット状のギザが施されているが、手が滑り易く開栓し難い。特に非力な高齢者等は難渋を極める。それで種々オープナーが発明・考案されているが、オープナーを常時携帯するのは煩わしい。【０００３】  従来のオープナーにはキャップのローレット状ギザに食い込む同様なギザを施したものがある（例えば特許文献１、特許文献２、特許文献３、特許文献４、特許文献５、特許文献６、特許文献７など以下に列挙するもの）。
これらはキャップとの接触面にゴム等可撓性摩擦材を使つているが、どうしてもキャップとの間に滑りを生じ、開栓トルクがフルに伝わり難く、開栓が難しい。【０００４】  又、キャップとの接触面に爪を設けて滑りを抑制したものもあるが、嵌合がかなり固くないと機能を発揮できぬため、嵌挿に難儀する。（特許文献８及び特許文献９参照）【０００５】  又、バンド型の下記の如きオープナーもある。（特許文献１０，特許文献１１参照）
これらは滑りは少ないものの、キャップにトルクを加えるのに難があり、開栓容易性の抜本的解決には程遠い。【０００６】  又、鋏型を形成したオープナーもある。（例えば特許文献１２、特許文献１３参照）
構造複雑で嵩張り、１個当たりコストもかなり大となる上、携帯には不向きである。【０００７】  又、カップ内底部分をオープナーとして利用する特許文献１４に示すものと、カップの糸底を利用する特許文献１５に示すものとあり、いずれも大型のカップを利用するので、使用樹脂量の増大は避けられず、コストも嵩み無駄も多い。【０００８】  又、把手下部やドアにキャップ嵌合穴を設けてオープナーとした、特許文献１６に示すような冷蔵庫の例がある。これは有効ではあるが、携帯出来ず、自宅でしか使えない。【０００９】  又、６角形袋ナット型キャップと、それに嵌合する６角穴ソケットレンチ型オープナーの組み合わせの例が、下記特許文献１７にある。これはキャップが正６（凸）角形であり、凹凸がないため滑り止め効果がなく、オープナー嵌合状態では開栓容易性を満足し得るがキャップ単体での開栓性は著しく悪い。本願はセットでのみ機能する例である。【００１０】  尚、文献は表示しないが、外来の瓶詰コーラ飲料の自動販売機においては栓抜きを装備したものが広く知られているが，これはキャップリムーバーと称すべきキャップもぎ取り装置で外した王冠キャップは販売機内に収納され、再栓には使えない。
【先行技術文献】
【特許文献１】特開２００１−０５８６９６
【特許文献２】特開２００１−１７１７０２
【特許文献３】特開２００１−１１４３９５
【特許文献４】特開２００２−０３７３８７
【特許文献５】特開２００２−３６２６８８
【特許文献６】特開２００３−１１２７９５
【特許文献７】特開２００４−０７５１８６
【特許文献８】特開２００１−１５８５００
【特許文献９】特開２００３−３００５９７
【特許文献１０】特開２０００−２８１１８５
【特許文献１１】特開２００７−１０６４２２
【特許文献１２】特開２００９−２４９０３５
【特許文献１３】特開平０８−３２４６９０
【特許文献１４】特開２００２−０８７４９５
【特許文献１５】特開２００４−２１７２７３
【特許文献１６】特開２００４−２８６３３１
【特許文献１７】実願昭５４−０５６４３２（実開昭５５−１５８８５３）
【考案の概要】
【考案が解決しようとする課題】
【００１１】  従来のオープナーは殆ど摩擦を利用しているため、滑り難い可撓性の摩擦材を使用しても滑りは避けられず、従って加えたトルクがキャップに有効に働かず、開栓容易性が損なわれる。特にペットボトルの初回開栓時はタンパーエビデンス機構のブリッジ切断に要する力が余分に必要なため、特に高齢者等は初開栓に難渋する。【００１２】  又、ペットボトル飲料は一般に冷やして飲むことが多いが、冷却するとボトル口部やキャップの螺合部の硬化や収縮のためか、常温時に比して格段に開栓が困難となる。
その上、ボトル上部空気の冷却による収縮で内部減圧も起こり一層開栓が困難となる。【００１３】  茶系飲料の普及等もあり、ペットボトルの水筒としての役割が増え、キャップ開閉の頻度が著しく増えた。高齢化社会到来と共に、開栓容易性の要請は益々高まっている。【００１４】  キャップは密封性能、開栓容易性、樹脂の節減、製造工程合理化によるコスト削減、タンパーエビデンス性能等種々改善されて来たが、滑り防止のためローレット溝の幅や深さを増すとクラックが入るという問題もあり、開栓容易性に関する限りローレット式での限界が見えて来た。又、開栓容易性の追求は密封性能を損なうという問題もある。【００１５】  本考案は上記問題解決のため大型凹凸をキャップ外周に施して、素手での開栓容易性を実現すると共に、開栓困難状態に冷蔵している自動販売機に、上記大型凹凸キャップ専用のオープナーを組み込んで、冷却ボトルの初開栓時の開栓性を改善するものである。
【課題を解決するための手段】
【００１６】  本考案のキャップは、規格１２角ソケットレンチに適当な隙をもって嵌合する、外周が歯車型乃至レンチ穴と相似形をなすもので、ＪＩＳ等の工具規格を転用可能である。
従ってＪＩＳ規格１２角レンチと同穴型オープナーを自動販売機に組み込むものである。【００１７】  ペットボトルのキャップに規格はないが、現在広く使用されているのが呼称２８ミリサイズで、外径が３０ミリなので、このキャップに合う１２角ソケットレンチはＪＩＳ規格ではＢ４６３６−１の呼び寸法３０ミリであり、最大外径は約３５ミリである。【００１８】  工具規格をそのまま使うため、キャップの規格化（標準化）に応用出来る。外形３２ミリのキャップの場合は、呼び寸法３２ミリの１２角レンチ規格が適用可能である。
既存の工具規格を適用するので、メーカー等違っても統一し易く、ＪＩＳ規格以外でもキャップの外径とソケットレンチ穴の内接円が合致すれば何れの規格でも適用出来る。【００１９】  本考案のキャップは特許文献１７の６角ナット型の凸角形と異なり、１２角ソケットレンチ穴型を模した、星形１２角形乃至歯車型の凹凸を形成するため、指の取っ掛りが良くキャップ単体での開栓容易性を達成出来たが、高齢者等非力な人対象にオープナーを設けるものである。これはキャップルーズナーとも云うべきもので、瓶詰コーラ飲料販売機の栓抜きと異なり、キャップを緩めて再栓・使用するのが目的ゆえ、オープナーの穴下方の回収箱への落下穴は設けない。【００２０】  本考案のオープナーは、自動販売機の前扉のコイン返却用レバー穴に設けたり、その近辺に独立して設ける。材質は硬質プラスチック、ダイカストその他金属製の耐候性のあるものが望ましい。【００２１】  本考案のオープナーは規格１２角ソケットレンチ型であるが、新規取り付けの場合は従来のローレット式キャップ用のオープナーも［図４］［図５］のように併設出来る。
小径（約３０ミリ）のローレット式キャップ用を奥にし、大径（約３５ミリ）のレンチ型の方を手前にして、図の如く二段式となるよう配置する。
【考案の効果】
【００２２】  ペットボトル飲料は冷却して飲むことが多いが、ペットボトル口部やキャップは冷却すると硬化した上収縮し、又螺合部の切欠（ベントスロット部）やシール部が引っ掛るためか、開栓が著しく困難となる。従来のローレット式ギザでは手が滑ってかなり握力がないとスムーズに開栓できない。【００２３】  開栓困難な状態である低温を維持する自動販売機で飲料を買った子女や高齢者等が、通行人に開栓を頼む姿はよく目にする。本考案のキャップにより開栓容易性は飛躍的に改善するが、上記の非力な人のためオープナー付き自動販売機を提供するものである。
本考案キャップの外径約３５ミリに対し、オープナーの必要直径は５０ミリ前後なので自動販売機に対するコスト増は極めて少額で、既存の販売機への追加設置も問題ない。【００２４】  本考案のオープナーは工具の１２角ソケットレンチ型のためボトルを持ってキャップ部を挿し込み、軽く回せば楽に開栓出来る。レンチ型穴とキャップは十分な隙があり、キャップ嵌挿も楽で、スプライン状嵌合なので、滑りは全くなく、楽な開栓が出来る。【００２５】  本考案はキャップにＪＩＳ規格の「１２角ソケットレンチＢ４６３６−１」を適用しているため、規格のないキャップ業界に標準化（規格化）の可能性が出て来る。
本考案の基となるレンチ規格を適用したキャップとオープナーについては、次の通り当方名義で意匠登録出願を行っています。
【先行技術文献】
［意匠登録第１３７０１５５］オープナー付きペットボトルキャップ
［意匠登録第１３７０１５６］オープナー付きペットボトルキャップ
［登録査定：意願２００９−０１９１０９］オープナー付きペットボトルキャップ
［登録査定：意願２００９−０１９１１１］オープナー付きペットボトルキャップ
［査定内定：意願２００９−０１９１１０］オープナー付きペットボトルキャップ
【図面の簡単な説明】
【図１】本考案の実施形態に係る自動販売機の正面図である。
【図２】規格１２角ソケットレンチ穴型を穿設した独立型オープナー平面図。
【図３】規格１２角ソケットレンチ穴型を穿設した独立型オープナー断面図。
【図４】規格１２角ソケットレンチ型とローレット型の両オープナー併設平面図。
【図５】規格１２角ソケットレンチ型とローレット型の両オープナー併設断面図。
【図６】コイン返却レバースペースに設けた本考案のレンチ型オープナー平面図。
【符号の説明】  １‥‥‥サンプルウインドウ
２‥‥‥コイン投入口
３‥‥‥つり・返却レバー
４‥‥‥コイン返却口
５‥‥‥紙幣投入口
６‥‥‥飲料取出し口
７‥‥‥ローレットキャップオープナー穴
８‥‥‥１２角ソケットレンチ型穴
【考案を実施するための形態】
【００２６】  木考案のボトルキャップは、開栓容易性の問題で行き詰まっているローレット式ギザの欠点が手との滑りにあることを考えると、抜本的方法として大型の凹凸を設ける以外に方法はなく、その際使用樹脂量の増大を極力抑えるのに、規格１２角ソケットレンチの穴型に着目し、その機械的な機能美をキャップ外形に取り入れることとした。
【００２７】  奇しくもソケットレンチの規格が汎用キャップと合致したため、サイズが色々あっても規格をほぼそのまま適用出来ることが分った。レンチ穴凹凸のピッチや、歯車で歯丈と称する山の高さが痛くない程度に指腹に適度に食い込み、全く滑らないことが分った。
【００２８】  下記特許文献によれば「開栓し難さ」の原因となるのは、手の痛みと手の滑り易さの２要因であるとの説が述べられているが、上記条件は将にこれに叶うものである。
【先行技術文献】
［特開２００８−４４６３０］
【実施例１】
【００２９】  上記の通り、合致するＪＩＳ規格ソケットレンチの４６３６−１の呼び寸法３０ミリのソケットレンチに、呼び径２８ミリのペットボトル用キャップを嵌め込み、エポキシ樹脂を流し込んだ所、意匠的にも美感を起こさせ、機能的にも好結果を得た。【００３０】  これに上記ＪＩＳ規格の一回り大きいサイズの、呼び寸法３２ミリソケットレンチのソケットを嵌めてテストの結果、隙が十分あるので嵌脱も楽で、極めて好成績を得た。
【図１】
0003164436.tif 000003
【図２】
0003164436.tif 000004
【図３】
0003164436.tif 000005
【図４】
0003164436.tif 000006
【図５】
0003164436.tif 000007
【図６】
0003164436.tif 000008
【手続補正書】
【提出日】平成22年5月23日(2010.5.23)
【手続補正１】
【補正対象書類名】図面
【補正対象項目名】図６
【補正方法】変更
【補正の内容】
【図６】
0003164436.tif 000009
【手続補正書】
【提出日】平成22年9月8日(2010.9.8)
【手続補正１】
【補正対象書類名】実用新案登録請求の範囲
【補正対象項目名】全文
【補正方法】変更
【補正の内容】
【実用新案登録請求の範囲】
【請求項１】
ボトル型飲料容器に螺合される１２組の凹凸で構成される外周形状が歯車型をなすボトル用キャップに嵌合する、工具規格にある１２角ソケットレンチのソケットと同型の穴を穿設したオープナーを備えた飲料自動販売機。
【請求項２】
呼称２８ミリサイズのボトルキャップに適用した上記オープナーのキャップ挿入穴が、ＪＩＳ規格の工具規格１２角ソケットレンチのＢ４６３６−１規格の呼び寸法３０ミリソケットの穴型である請求項１記載の飲料自動販売機。
【請求項３】
上記ＪＩＳ規格の工具規格、１２角ソケットレンチのソケットと同型穴を穿設したオープナーに、従来のローレット式ギザ付きキャップ用オープナーを２段式に併設した開栓装置を備えた請求項１記載の飲料自動販売機。